(57)【特許請求の範囲】
【請求項１】
それの上にスラグが落下する水面の物理的データを得ること
からなるガス化炉のスラグ動態の監視方法。
【請求項２】
請求項１において、更に、
スラグホール周辺の物理的データを得ること、
前記水面上の物理的データと前記スラグホール周辺の物理的データとに基づいてスラグの流動の安定性を判断すること
とからなることを特徴とするガス化炉のスラグ動態の監視方法。
【請求項３】
請求項２において、
前記水面上の物理的データは、前記水面上の輝度データである
ことを特徴とするガス化炉のスラグ動態の監視方法。
【請求項４】
請求項３において、更に、
前記輝度データから輝度変動量を計算すること
からなることを特徴とするガス化炉のスラグ動態の監視方法。
【請求項５】
請求項４において、
前記水面上の物理的データは更にスラグの有無である
ことを特徴とするガス化炉のスラグ動態の監視方法。
【請求項６】
請求項２において、
前記スラグホール周辺の物理的データは、流下するスラグの本数である
ことを特徴とするガス化炉のスラグ動態の監視方法。
【請求項７】
スラグホール周辺を監視するための第１カメラと、
それの上にスラグが落下する水面を監視するための第２カメラ
とからなるガス化炉のスラグ動態の監視装置。
【請求項８】
請求項７において、更に、
スラグホールの中心域の温度を監視するための温度測定計
とからなることを特徴とするガス化炉のスラグ動態の監視装置。
【請求項９】
請求項７において、更に、
前記第１カメラにより得られた画像データと前記第２カメラにより得られた画像データに基づいてスラグの流動性を判断するための診断ロジック
とからなることを特徴とするガス化炉のスラグ動態の監視装置。
【請求項１０】
請求項９において、更に、
前記第２カメラにより得られたデータから前記水面上の輝度変動を計算するための微分計算器
とからなることを特徴とするガス化炉のスラグ動態の監視装置。
【請求項１１】
スラグの動的流れを２次元的に検出するためのＣＣＤカメラと、
前記ＣＣＤカメラの画素単位で前記スラグの輝度を数値化するための計算機と、
数値化された前記輝度の空間微分を計算することにより前記スラグの本数を計算するための計算機
とからなるガス化炉のスラグ動態の検出装置。
【請求項１２】
請求項１１において、
前記ＣＣＤカメラは、前記水面のスラグを撮影する
ことを特徴とするガス化炉のスラグ動態の検出装置。
【請求項１３】
請求項１２において、更に、
他のＣＣＤカメラからなり、
他の前記カメラは、スラグホール部を撮影する
ことを特徴とするガス化炉のスラグ動態の検出装置。
【請求項１４】
請求項１３において、
他の前記ＣＣＤカメラの画素単位で前記スラグの他の輝度を数値化するための計算機と、
数値化された他の前記輝度の空間微分を計算することにより前記スラグの本数を計算するための計算機
とからなることを特徴とするガス化炉のスラグ動態の検出装置。
【請求項１５】
請求項１２において、更に、
前記水面の時間的輝度の変動を計算するための計算機
からなることを特徴とするガス化炉のスラグ動態の検出装置。
【発明の詳細な説明】
【０００１】
【発明の属する技術分野】
本発明は、ガス化炉のスラグ動態の監視・検出装置及びその監視方法に関し、特に、石炭ガス化炉のスラグの流動性をカメラで監視することによりそのスラグの流動状態を診断するためのガス化炉のスラグ動態の監視・検出装置及びその監視方法に関する。
【０００２】
【従来の技術】
エネルギー源として、石炭が有効である。石炭をガス化して燃焼させることにより効率的に電気的エネルギーに変換するための石炭ガス化炉は、その燃焼動態の監視が必要である。その燃焼動態の監視は、スラグの動態変化の監視により間接的に行われている。燃え滓であるスラグは、燃焼炉の下部の開口部から落下して排出される。スラグホールでスラグが固体化することは好ましくなく、スラグの排出と石炭の供給は整合している必要がある。スラグの監視は、直接に監視が困難である燃焼動態の監視に代わり得る。スラグの動態は、スラグの中心部の輝度変化に対応する温度変化、スラグの滴下量、滴下頻度、スラグ滴の体積、スラグタップの開口部の面積、固化スラグと溶融スラグの占有面積の絶対値とそれらの比、スラグ流部分の面積、輝度分布とその形状、スラグ流下速度、スラグ流下量等の多くのパラメータで記述され得る。
【０００３】
カメラにより映像化し画像処理を行うことによって、スラグの滴下量、滴下頻度、スラグ滴体の体積の測定・算出によりガス化条件を制御する技術が、特開平４−５６０７９号で知られている。放射温度計、２波長温度計を用いて、スラグタップの開口部の面積、固化スラグと溶融スラグの占有面積の絶対値とそれらの比を求めることにより、スラグの滴下状況を監視して、石炭供給量、ガス化剤の供給量を制御する技術が、特開平６−７８５４３号で知られている。ファイバー使用カメラによりスラグタップの開口部の面積を監視することにより、酸化剤供給量を制御する技術が、特開昭６１−５８１１４号で知られている。ニューラルネットワークによりスラグ流部分の面積、輝度分布とその形状を監視することにより、確率的統合処理を行ってスラグの滴下状態を評価する技術が、特許第２５４７１９０号で知られている。スラグ温度、スラグ流下速度、スラグ流下量を監視することにより、溶融スラグの安定排出を行う技術が、特開平２−１９２５０７号で知られている。
【０００４】
このように提案されている多様な公知の監視方法は、特定された１つ又は複数のパラメータの監視による方法である。燃焼炉中で起こる複雑な現象の結果として現れるスラグの動態は、限定された種別数のパラメータでは事実を把握することが困難である。パラメータの種別数を増加させるだけでは、事実の把握を困難にし、誤った判断を導く可能性が逆に高くなる恐れがある。
【０００５】
ガス化炉の安定運転のためには、何が有効なパラメータであり、どのパラメータが燃焼状況を間接的に最も有効に反映するか、どのパラメータの詳細化が有効であるかを経験則的に見出すことが望まれる。更に、より有効にスラグ動態を積極的に制御するために、スラグの動態をダイナミックにリアルタイムで検出することが望まれる。
【０００６】
【発明が解決しようとする課題】
本発明の課題は、何が有効なパラメータであり、燃焼状況を間接的に最も有効に反映するか、どのパラメータの詳細化が有効であるかを経験則的に見出すことにより、スラグの最適な監視を行って、ガス化炉の安定運転を行うことができるガス化炉のスラグ動態の監視装置及びその監視方法を提供することにある。
本発明の他の課題は、より有効にスラグ動態を積極的に制御するために、スラグの動態をダイナミックにリアルタイムで検出することができるガス化炉のスラグ動態の検出装置を提供することにある。
【０００７】
【課題を解決するための手段】
その課題を解決するための手段が、下記のように表現される。その表現中の請求項対応の技術的事項には、括弧（）つきで、番号、記号等が添記されている。その番号、記号等は、請求項対応の技術的事項と実施の複数・形態のうちの少なくとも１つの形態の技術的事項との一致・対応関係を明白にしているが、その請求項対応の技術的事項が実施の形態の技術的事項に限定されることを示すためのものではない。
【０００８】
本発明によるガス化炉のスラグ動態の監視方法は、スラグがそれの上に落下する水面（６）上の物理的データを得るためのステップからなる。水面上の物理的データは、スラグホール（４）の周辺の物理的データよりも貴重なデータであり得る。例えば、スラグホールの輝度は飽和しやすいが、水面上のスラグは滴下・流下中に冷却され、水面上で速やか更に冷却され、その輝度に対応する温度変化が有効な物理的データになり得る。
【０００９】
更に、スラグホール周辺の物理的データを得るためのステップからなり、水面上の物理的データとスラグホール周辺の物理的データとに基づいてスラグの流動の安定性を判断するためのステップとからなることが好ましい。水面上の物理的データとスラグホール周辺の物理的データは、異質な物理的データであり、両データは連立することにより、片方のみのデータに比べて、遙かに豊かなデータになり得る。特に、経験則的に得る診断のためには、連立化はきわめて有効である。
【００１０】
水面上の物理的データは、水面上の輝度データであることが好ましい。水面上の輝度データは飽和しにくく、その精度が高い。従って、輝度データから得る輝度変動量は、事実をよく反映させる。水面上の物理的データには更にスラグの有無を追加することが更に有効である。異質な物理的データとして、スラグホール周辺の物理的データが流下するスラグの本数であることが更に好ましい。
【００１１】
本発明によるガス化炉のスラグ動態の監視装置は、スラグホール周辺を監視するための第１カメラ（７）と、スラグがそれの上に落下する水面（６）を監視するための第２カメラ（８）とからなる。両カメラにより異質な物理的データに関する画像を得ることができる。スラグホールの中心域の温度を監視するための温度測定計を追加することが好ましい。更に、第１カメラ（７）により得られた画像データと第２カメラ（８）により得られた画像データに基づいてスラグの流動性を判断するための診断ロジック（３７）を持つ。第２カメラ（８）により得られたデータから水面上の輝度変動（２９Ａ）を計算するための微分計算器とからなることが好ましい。
【００１２】
本発明によるガス化炉のスラグ動態の検出装置は、スラグの動的流れを２次元的に検出するためのＣＣＤカメラと、ＣＣＤカメラの画素単位でスラグの輝度を数値化するための計算機と、数値化されたその輝度の空間微分を計算することによりスラグの本数を計算するための計算機とからなり、ＣＣＤカメラが検出する画素単位の輝度（光量、又は、光エネルギー）はデータベース化される。そのデータベースからデータの加工を行うことにより、スラグ動態の多様な特性を計算により実質的にリアルタイムで検出することができる。
【００１３】
ＣＣＤカメラは水面のスラグを撮影することが特に好ましい。スラグの流れであるスラグ動態は、水面上がスラグ流の末端になっている。スラグ流の末端は、最終的に貴重なデータを提供する。規定された数のスラグ流が水面上で存在することは、この情報のみによってスラグ流が安定していることを教える。スラグホール部のデータは、水面上のデータを補強するものとして参酌される。
【００１４】
そのような参酌のために、他のＣＣＤカメラが設けられている。他のカメラは、スラグホール部を撮影する。他のＣＣＤカメラの画素単位でスラグの他の輝度を数値化するための計算機と、数値化された他の輝度の空間微分を計算することによりスラグホール部のスラグの本数を計算するための計算機とが追加されて設けられている。更に、水面の時間的輝度の変動を計算するための計算機が設けられている。このような２台のＣＣＤによる２つのデータベースから得られるスラグ動態の検出は、監視を越えて、積極的にスラグ流を制御するためのデータを構築する。
【００１５】
【発明の実施の形態】
図に一致対応して、本発明によるガス化炉のスラグ動態の監視装置の実施の形態は、石炭ガス化炉とともにスラグ排出塔が設けられている。そのスラグ排出塔１は、図１に示されるように、石炭ガス化炉２の下方部に設けられている。スラグ排出塔１と石炭ガス化炉２の間は、円錐状の床３で鉛直方向に仕切られている。石炭ガス化炉２の中で石炭がガス化され燃焼した後に生成されるスラグは、床３上に流動的に堆積する。床３には、その中心部にスラグホール４が開けられている。
【００１６】
スラグホール４には、その縁に円筒形の仕切壁又は堰（図示せず）が設けられ、１８０゜間隔で対向する位置に、流動スラグの流出案内溝（図示せず）が形成されている。流出案内溝の断面積は、安定運転状況下でその流出案内溝から２条の溶融スラグが定常的に流下するように一定の断面積が与えられて設計されている。スラグ排出塔１の下方部には、水溜まり５が設けられ、一定高さの水面６が設定されている。
【００１７】
第１ＴＶカメラ７と第２ＴＶカメラ８とが、スラグ排出塔１の壁の外側に設けられている。第１ＴＶカメラ７のレンズ部分は、スラグ排出塔１に設けられているガラス窓（図示せず）を通してスラグホール４に向いている。そのレンズ部分の光軸は、概ね、スラグホール４の中心点に向いている。第１ＴＶカメラ７は、スラグホール４とスラグホール４の周域部を視野に捉えることができる。
【００１８】
第２ＴＶカメラ８のレンズ部分は、スラグ排出塔１に設けられているガラス窓（図示せず）を通して水面６に向いている。そのレンズ部分の光軸は、水面６に対して斜めに向いている。第１ＴＶカメラ７は、水面の概ね全域を視野に捉えることができる。
【００１９】
分光計９が、第１ＴＶカメラ７と同じ光軸を持ち第１ＴＶカメラ７と同じ視野を持つように、スラグ排出塔１の壁に設けられているガラス窓の外側に配置されている。分光計９は、第１ＴＶカメラ７が捉える画像点の温度を測定することができる。
【００２０】
水面上のスラグの温度は、スラグホール４の周辺域のスラグより平均的に低く、輝度の検出値が飽和することは滅多になく、飽和してもすぐに飽和状況から解放される。従って、第２ＴＶカメラ８には、分光計を付随させる必要性はほとんどない。第１ＴＶカメラ７により得られる画像は、画像処理ボード１１により番地化される。スラグホール４の周辺域のスラグタップの温度はもっとも高い。スラグタップの温度と画像の強度との相関関係はほとんどない。スラグタップの温度は、分光計９を用いて２色温度法により測定される。分光計９による温度分布は、専用ＩＦボード１２により得られる。第２ＴＶカメラ８により得られる水面６上の画像は、画像処理ボード１３により番地化される。
【００２１】
画像処理ボード１１、専用ＩＦボード１２、画像処理ボード１３により得られたデータは、図１に示されるように、スラグ流動監視・診断装置１４に入力される。第１ＴＶカメラ７と第２ＴＶカメラ８であるＣＣＤカメラにより、スラグホールを含む観測領域及び水面領域の第１輝度分布１５、第２輝度分布１６がデジタル・データ化される。スラグタップの温度分布１７が、更にデータ化される。
【００２２】
このような第１輝度分布１５、第２輝度分布１６と温度分布１７から、図２（１点鎖線で図１に連結）に示される監視項目１９が知られ、又は、判明する。重要な監視項目１９は、スラグホール部状況２１、スラグ本数２２、スラグ幅２３、スラグ落下状況２４である。監視項目１９から得られる評価パラメータ２５は、高輝度部面積２６、平均輝度値２７、スラグの開口部面積２８、輝度変動量２９、スラグタップ部温度３１、監視項目１９からそのまま得られるスラグ本数２２、スラグ幅２３である。
【００２３】
図３（添付写真である図２３）は、高さ方向に長い矩形状領域の第１輝度分布１５を示している。図３は、射軸投影図として第１ＴＶカメラ７の撮像面に投影された画像である。その矩形状領域は、鉛直方向により長い第１有効エリア３２（図２３の上段と下段の合成）と鉛直方向により短い第２有効エリア３３（図２３の上段）とに区別されている。第１有効エリア３２は、第２有効エリア３３を含んでいる。第２有効エリア３３の輝度は、スラグホール４の内側（中心領域）の特に輝度が高い領域の輝度を示している。第２有効エリア３３の中心領域３４は、その温度が測定される。
【００２４】
図３中の点線２２で示される直線状領域の輝度の微分計算を行うことにより、流下スラグの本数２２、その幅２３が求められる。安定状態では、既述の通り、スラグ本数が例えば２本になるように設計されている。高輝度部面積２６は、図４（Ａ）に示されるように、第１有効エリア（１）３２の画像を微分することにより、輝度が高い領域が計算により求められる。微分により求められる輝度の大小は、概ね温度の高低に対応する。
【００２５】
開口部面積２８は、図４（Ａ）に示されるように、第２有効エリア３３の規定値以上（ＣＣＤが受光する光量に対応する電圧値）の画素面積を算出することにより求められる。スラグタップ部温度３１は、既述の通り、分光分析により二色温度法により算出される。図５（図２４の下段）は、水面監視状況を示している。水面上に有効エリア３５が設定されている。第２輝度分布１６から、図４（Ｂ）に示されるように、２つの水面上輝度変動量２９Ａとスラグ認識３６が計算される。スラグ認識３６は、点線上の画像微分により得られるスラグの有無が含まれている。水面上輝度変動量２９Ａは、有効エリア３５内の画素の輝度の時間差分の絶対総和として算出される。
【００２６】
図４（Ａ）に示されるスラグホール側評価パラメータ２２，２３，２６，２８，３１と水面側評価パラメータ２９Ａ，３６は、図４（Ｃ）に示されるように、診断ロジック３７に入力される。診断ロジック３７による診断結果により、図４（Ｄ）に示されるように、出力部３８は、スラグ溶融バーナ（図示せず）の点火又は停止を行い、更には、警報を出力する。
【００２７】
評価方法は、図２に示されるように、基準データ３９と現在値４１との偏差に基づいて実行される。基準データ３９と現在値４１が、診断ロジック３７に入力される。診断結果は、図２に示されるように、スラグの成長４２、スラグによるスラグホール４の閉塞である。スラグの成長４２、スラグ閉塞４３は、警報を発するとともに、スラグ溶融バーナの点火を要請する。
【００２８】
他の診断結果は、スラグ流動安定４４、スラグ流動不安定４５、スラグ流動無し４６である。スラグ流動安定４４、スラグ流動不安定４５、スラグ流動無し４６は、警報発令を要請する。このような警報発令とスラグ溶融バーナの点火の判断のためのロジックで重要なパラメータは、水面側評価パラメータ２９Ａである水面上の輝度変動（量）とスラグホール側の高輝度部面積２６の相関関係である。スラグホール側の高輝度部面積２６の増減と水面上輝度変動量２９Ａのパラメータを組み合わせた判断は、異なる物理現象から連立的に燃焼状況を把握する判断である。この判断は、その的確性が高い。
【００２９】
図６は、診断ロジック３７が判断する基礎データである異種パラメータの相関関係を示している。スラグホール部の高輝度部面積２６であろ現在値面積Ｓが最低基準値ＳＬよりも小さく、又は、スラグタップ温度３１である現在値Ｔが最低基準値ＴＬよりも低い場合、且つ、スラグ認識であるスラグ本数Ｎが零である場合には、”スラグ流動無し”と判定される。水面側パラメータの輝度変動量Ｖが零である場合にも、”スラグ流動無し”と判定される。スラグ流動無しの判定は、水面上の監視が有力である。
【００３０】
スラグホール部の高輝度部面積２６である現在値面積Ｓが最高基準値ＳＨよりも小さく最低基準値ＳＬより高く、かつ、スラグタップ温度３１である現在値Ｔが最高基準値ＴＨよりも低く最低基準値ＴＬよりも高い場合、かつ、スラグ認識３６でその本数Ｎが２である場合、かつ、輝度変動量Ｖが最高基準値ＶＨより小さく最低基準値ＶＬよりも高い場合には、”スラグ流動安定”と判定される。
【００３１】
スラグホール部の高輝度部面積２６である現在値面積Ｓが最高基準値ＳＨよりも小さく最高基準値ＳＬよりも大きいか、かつ、スラグタップ温度３１である現在値Ｔが最高基準値ＴＨよりも低く最低基準値ＴＬよりも高い場合、かつ、スラグ認識３６でスラグ本数２２である数Ｎが２でない場合には、”スラグ流動不安定”と判定される。
【００３２】
このようなロジックにおけるＡＮＤとＯＲ又はそれらの組合せは、炉の規模、用いる石炭の種類、その他のさまざまな要因により変更される。そのような変更は、実証炉により個別に行われる。水面状況の把握は、異種物理現象のデータの追加の連立化による判定の精度を向上させる点では、確実に重要なパラメータの導入である。
【００３３】
図７（Ａ），（Ｂ）は、流動安定時のスラグの動態の瞬間の斜視画面を示している。同図（Ａ）（図２５の各上段に対応）はスラグホールとその周辺のスラグの動態を示し、同図（Ｂ）（図２５の各下段に対応）は水面のスラグの動態を示している。同図（Ａ）は、スラグホールを通して見えるスラグがスラグホール周辺に均等に分布し、即ち、円形に分布している状態を示し、流動が安定していることを表している。その円形は、これを斜めから見ているので長円形に見えている。同図（Ｂ）には、溶融スラグが連続的に流下する時の２本の筋が（明瞭に）見えている。この画像を微分処理することにより、２本が更に明瞭に浮き出て見えることになる。
【００３４】
図８（Ａ），（Ｂ）は、流動不安定時のスラグの動態の瞬間の斜視画面を示している。同図（Ａ）（図２６の各上段に対応）はスラグホールとその周辺のスラグの動態を示し、同図（Ｂ）（図２６の各下段に対応）は水面のスラグの動態を示している。同図（Ａ）は、スラグホールを通して見えるスラグがスラグホール周辺に均等に分布せず、即ち、非円形（長円系）に分布している状態を示し、流動が安定していないことを表している。同図（Ｂ）には、溶融スラグが連続的に流下する時の２本の筋が現れていない。これから画像処理を行っても、筋は全く現れない。スラグホールの監視と水面の監視を両立させることにより、安定、不安定、それらの中間状態の判定がより確実化する。
【００３５】
図９（Ａ），（Ｂ），（Ｃ），（Ｄ），（Ｅ），（Ｆ）は、実証炉に関して異種物理的パラメータの変動の相関関係を示している。図９（Ａ），（Ｂ），（Ｃ），（Ｄ），（Ｅ）はスラグホール観測データをそれぞれに示し、図９（Ｆ）は水面観測データを示している。スラグホール観測データは、順に、高輝度部面積、平均輝度値、スラグ本数、スラグ幅、温度値である。水面観測データは、輝度変動量である。図９は、それぞれに、横軸は時間であり、約３時間の間のデータの変化を捉えている。
【００３６】
時刻ｔ５では、高輝度部面積、平均輝度値、スラグ本数、スラグ幅、輝度変動量の５つのデータが明白に対応し、スラグ量が増大していることを明白に示している。時刻ｔ４では、高輝度部面積、平均輝度値、スラグ本数、スラグ幅、輝度変動量の５つのデータに対応関係が一応は見られるが、時刻ｔ５における対応ほどには明白ではない。スラグ幅（スラグホール側データ）と輝度変動量（水面側データ）との対応の精度は高い。
【００３７】
時刻ｔ３では、高輝度部面積、平均輝度値、スラグ本数、スラグ幅の対応関係は不明確であるが、スラグ本数、スラグ幅、輝度変動量から、スラグ量が増大する期間が３０分程度であり、輝度変動量は一瞬であることを示している。時刻ｔ１と時刻ｔ２で輝度変動量が一瞬に大きくなれば、その後にスラグ量が増大する期間が続くことを示している。輝度変動量がある程度以上の値になれば、スラグ量が多くなる時間が暫く（３０分ほど）続く。この現象は、輝度変動量がスラグ流動の動態変化を判断するために重要なデータであることを示している。時刻ｔ６（同図（Ｆ））で現れる輝度変動量の増大は、スラグ量の増大に対応していない。この時刻では、輝度変動量の増大はスラグ量の減少に対応している。この時刻では、スラグホール側データであるスラグ本数、スラグ幅が診断のために重要である。スラグホール側データと水面側データの対応・逆対応は、複数・データが異質な物理的データであったことを示している。このような異質なデータは、正しい診断のために決定的なパラメータである。
【００３８】
積極的に動態を制御することが更に望ましい。その制御のために、動態の動的検出が行われる。次のように、データベースが作成される。そのデータベースは、第１ＴＶカメラ７と第２ＴＶカメラ８であるＣＣＤカメラで捉える２次元の画像データとして作成される。図１０は、その上にＸ−Ｙ座標が設定されるＣＣＤカメラの画素集合面を示している。仮想的に設定されている軸（Ｚ方向）は、輝度レベルを示す。Ｘ軸、Ｙ軸は、それぞれにそれらの目盛りが１〜２５６である。輝度は、Ｚ軸上で、その目盛りが０〜２５５である。輝度レベルの電圧は、８ＢｉｔＡ／Ｄ変換により０〜２５５に数値変換される。
【００３９】
各画素の座標は、（Ｘ，Ｙ）で表される。任意の画素の輝度（光量）をＢ（Ｘ，Ｙ）で表す。Ｘ方向の１直線上（Ｙの値が固定）で輝度の微分Ｄ（Ｘ，Ｙ）を次のように定義する。
Ｄ（１，Ｙ）＝Ｂ（１，Ｙ）−Ｂ（６，Ｙ）
Ｄ（２，Ｙ）＝Ｂ（２，Ｙ）−Ｂ（７，Ｙ）
Ｄ（２５０，Ｙ）＝Ｂ（２５１，Ｙ）−Ｂ（２５６，Ｙ）
【００４０】
Ｙが固定された１直線上で、Ｂ（Ｘ，Ｙ）は、図１１（ａ）に示されるように、例示されている。この場合、Ｄ（Ｘ，Ｙ）は、図１１（ｂ）に示される。Ｄ（Ｘ，Ｙ）は、全てのＹについて、あるＤの値を境にしてその値より大きい領域とその値より小さい領域に分別すれば、スラグホールとその周辺の輝度分別領域は、図１２（ａ）に示されるようになる。そのある値より大きい領域は、高輝度領域と呼ばれスラグホールの輝度領域と、それ以外の低輝度領域とから形成されている。
【００４１】
ある適正な値でＹを固定して、その時の輝度レベルが、同図（ｂ）に示されている。その微分が、同図（ｃ）に示されている。閾値が設定され、微分値がその閾値より大きい領域からその代表としてＸ座標が選定される。このようなＸ座標は、通常は２つが１対になる組として現れるはずである。正常時には、スラグは２本であるから、既述のように選定されるＸ座標は４つあるはずである。このように選定された１組のＸ座標の間隔が、１本のスラグの幅Ｗ１，Ｗ２である。
流動幅は、（Ｗ１＋Ｗ２）で定義される。
【００４２】
図１３は、高輝度領域の面積の算出方法を示している。高輝度領域の全面積Ｓは、次のように定義される。
Ｓ＝Σ（Ｗｉ）．
ここでＷｉは、各Ｘ軸上の高輝度領域に属する画素数の総計である。全面積は、ｉについて、Ｗｉが１から２５６まで足し加えられる。Ｙ座標が５０である場合、スラグの幅は、図１４に示されるように、次式で表される。Ｗ５０＝（Ｗ１＋Ｗ２）。スラグホールの幅は、Ｙが１３０であるところでは、Ｗ１３０で表されている。
【００４３】
輝度変動量は、時間差分の絶対総和として、次のように定義される。ある時刻Ｔの各画素の輝度をＢ（Ｘ，Ｙ）で表し、時刻（Ｔ＋ΔＴ）の各画素の輝度をＡ（Ｘ，Ｙ）で表せば、輝度変動量Ｖ（Ｔ）は、全画面又は有効エリアについて次式で示される時間微分として定義される。
Ｖ（Ｔ）＝ΣΣ｜Ａ（Ｘ，Ｙ）−Ｂ（Ｘ，Ｙ）｜．
ここで、ΣΣは、Ｘ、Ｙについて１から２５６まで足し加えることを示している。Ａ，Ｂの値は、それぞれに、０（又は１）から２５５（又は２５６）までの整数値である。
【００４４】
このように定義された輝度レベル（階調表示）、高輝度部面積、輝度変動量に基づいて、診断ロジックが更に詳しく形成される。図１５は、興味領域ＲＯＩ（ｒｅｇｉｏｎ  ｏｆ  ｉｎｔｅｒｅｓｔ）を定義している。第１興味領域ＲＯＩ（１）は、スラグホール周辺部が上方部分になり水面側が下端になるような縦長の矩形領域である。第２興味領域ＲＯＩ（２）は、スラグホール周辺域を含みスラグホールに属さない領域をなるべく含まないように設定される横長（円形状スラグホールは射軸投影によりＣＣＤ上には楕円形状に投影される）の矩形領域である。
【００４５】
図１６は、監視事象の他の実施の形態を示している。監視領域は、スラグホール部と水面部であるが、炉の事象として、スラグホール部と水面部の中間部にスラグ６１が自然堆積し最終的に中間壁部が閉塞する可能性がある。図１７は、監視位置と評価パラメータを示している。スラグホール部の評価パラメータは、高輝度部面積、スラグ本数（１）、スラグ幅、スラグタップ温度、開口部面積である。水面部の評価パラメータは、スラグ本数、輝度変動量である。図１８に示されるように、各評価パラメータについて、規定値内範囲を規定する上限値Ｈｉと下限値Ｌｏ設定されている。
【００４６】
図１９は、スラグを溶融するためのバーナー点火条件を示している。炉内の温度が低下した場合に固化するスラグは、バーナーにより溶融される。第２興味領域ＲＯＩ（２）の輝度レベルが設定値Ｂ１よりも高い値である画素数がある数より少なくなれば、スラグ溶融バーナが点火される。第２興味領域ＲＯＩ（２）の輝度レベルが設定値Ｂ１よりも高い値である画素数がある数より少なく、且つ、第１興味領域ＲＯＩ（１）の輝度レベルが設定値Ｂ２よりも高い値である画素数がある数より多い場合は、窓汚れであると判断され、窓汚れ発生警報が出される。第１興味領域ＲＯＩ（１）の輝度レベルが設定値Ｂ２よりも高い値である画素数がある数より少ない場合は、スラグホールが閉塞していると判断され、スラグホール閉塞警報が出される。
【００４７】
図２０は、水面監視（水）とスラグホール部監視（ス）との両面監視による判断ロジックの他の実施の形態を示している。その第１ロジックでは、水面監視（水）については、評価パラメータとしてスラグ本数（２）と輝度変動量が採択され、スラグホール部監視（ス）については、評価パラメータとしてスラグ本数（１）が採択されている。その第２ロジックでは、水面監視（水）については、評価パラメータとしてスラグ本数（２）が採択され、スラグホール部監視（ス）については、評価パラメータとして、第１興味領域ＲＯＩ（１）の高輝度面積、スラグタップ部の温度、スラグ本数（１）、スラグ幅が採択されている。
【００４８】
第１ロジックでは、スラグホール部に関して、スラグ本数（１）が零本であり、且つ、水面部に関して、スラグ本数（２）が零本であり、輝度変動量が零又はきわめて小さいある値より小さい場合、スラグの流動がない、と判断される。スラグ本数（１）が零本でなく、且つ、スラグ本数（２）が零本であり、輝度変動量が零又はきわめて小さいある値より小さい場合、中間壁にスラグが堆積してその中間壁が閉塞していると判断される。
【００４９】
第２ロジックでは、スラグホール部に関して、第１興味領域ＲＯＩ（１）の高輝度面積が規定値内であり、スラグタップ部の温度が規定値内であり、スラグ本数（１）が２本であり、スラグ幅が規定値内であり、且つ、水面部に関して、スラグ本数（２）が２本である場合、流動は安定しいると判断され、このような条件が満たされていない場合、流動は不安定であると判断される。
【００５０】
図２１は、スラグホール部のみの監視による評価ロジックを示している。スラグ本数（１）が零本であれば、これだけで流動なしと判断されてしまう。スラグ本数（１）が２本であり、第１興味領域ＲＯＩ（１）の高輝度面積が規定値内であり、スラグタップ部の温度が規定値内であり、スラグ幅が規定値内であれば、流動は安定しいると判断され、これらの条件の１つが欠ければそれだけで、流動不安定と判断されてしまう。
【００５１】
図２２は、水面のみの監視による評価ロジックを示している。スラグ本数（２）が零本であり、且つ、輝度変動量が零又は零に近い数であれば、これだけで流動なしと判断することができる。スラグ本数（２）が２本であれば、これだけで、流動は安定しているとの判断は概ね正しい。逆に、スラグ本数（２）が２本でなければ、これだけで、流動は安定していないと判断することは概ね正しい。スラグホール部のスラグ本数は、水面部のスラグ本数に基づく判断の参酌パラメータであり、スラグホール部のスラグ幅を参酌することは、水面部のパラメータによる判断をより正確にする。
【００５２】
添付写真の説明：
図２３は、図３に対応して現実に撮影されたＣＣＤカメラの実写真を示している。図２３の写真は、その上段と下段の多様な組合せを例示するためのものであり、その上段と下段に表示されている時刻での対応を例示するためのもではない。図２５に対応する図２４は、その表示時刻がその時刻での対応を示すためのものではない。図７（Ａ），（Ｂ）に対応する図２５は、その表示時刻がその時刻での対応を示すためのものではない。図８（Ａ），（Ｂ）に対応する図２６は、その表示時刻がその時刻での対応を示すためのものではない。
【００５３】
【発明の効果】
本発明によるガス化炉のスラグ動態の監視装置及びその監視方法は、水面の動態変化がシャープであることにより、診断が時間的に正確である。水面側データは、スラグホール側データとの突き合わせにより、確実なデータになる。
【００５４】
本発明によるガス化炉のスラグ動態の検出装置は、ＣＣＤカメラの技術的特徴を利用することにより、スラグ動態の瞬間をデータベース化して、多様な時間的・空間的変動を計算により求めることができる。その動態を正確に把握することにより、単なる監視を越えて、積極的にスラグ流の適正化を行って、炉の動的制御が可能になる。
【図面の簡単な説明】
【図１】図１は、本発明によるガス化炉のスラグ動態の監視装置の実施の形態を示す機能ブロック図である。
【図２】図２は、図１の１点鎖線で連結する図である。
【図３】図３は、スラグホール周辺のスラグの動態を示す写真の画像である。
【図４】図４（Ａ），（Ｂ），（Ｃ），（Ｄ）は、診断のためのロジックを示すロジック回路図である。
【図５】図５は、水面上のスラグの動態を示す写真の画像である。
【図６】図６は、診断ロジックにより診断される項目を示す表である。
【図７】図７（Ａ），（Ｂ）は、流動安定時のスラグホール、水面の動態をそれぞれに示すカメラ画像である。
【図８】図８（Ａ），（Ｂ）は、流動不安定時のスラグホール、水面の動態をそれぞれに示すカメラ画像である。
【図９】図９（Ａ），（Ｂ），（Ｃ），（Ｄ），（Ｅ），（Ｆ）は、２系統の複数パラメータの変動の対応をそれぞれに示すグラフである。
【図１０】図１０は、座標系設定を示す射軸投影図である。
【図１１】図１１  （ａ），（ｂ）は、画像データの処理をそれぞれに示すグラフである。
【図１２】図１２（ａ），（ｂ），（ｃ）は、画像データの他の処理をそれぞれに示すグラフである。
【図１３】図１３は、画像データの更に他の処理を示すグラフである。
【図１４】図１４は、画像データの更に他の処理をそれぞれに示すグラフである。
【図１５】図１５は、検出領域を示す射軸投影図である。
【図１６】図１６は、検出領域を示す正面断面図である。
【図１７】図１７は、監視・検出位置と評価パラメータの対応を示す表である。
【図１８】図１８は、検出結果を示すグラフである。
【図１９】図１９は、検出ロジックを示す論理チャートである。
【図２０】図２０は、更に他の検出ロジックを示す論理チャートである。
【図２１】図２１は、更に他の検出ロジックを示す論理チャートである。
【図２２】図２２は、更に他の検出ロジックを示す論理チャートである。
【図２３】図２３は、図３に代わるデジタルデータ化された写真である。
【図２４】図２４は、図５に代わるデジタルデータ化された写真である。
【図２５】図２５は、図７に代わるデジタルデータ化された写真である。
【図２６】図２６は、図８に代わるデジタルデータ化された写真である。
【符号の説明】
４…スラグホール
６…水面
７…第１カメラ
８…第２カメラ
２９Ａ…水面上の輝度変動（量）
３７…診断ロジック
【図１】
0003935640.tif 000002
【図２】
0003935640.tif 000003
【図３】
0003935640.tif 000004
【図４】
0003935640.tif 000005
【図５】
0003935640.tif 000006
【図６】
0003935640.tif 000007
【図７】
0003935640.tif 000008
【図８】
0003935640.tif 000009
【図９】
0003935640.tif 000010
【図１０】
0003935640.tif 000011
【図１１】
0003935640.tif 000012
【図１２】
0003935640.tif 000013
【図１３】
0003935640.tif 000014
【図１４】
0003935640.tif 000015
【図１５】
0003935640.tif 000016
【図１６】
0003935640.tif 000017
【図１７】
0003935640.tif 000018
【図１８】
0003935640.tif 000019
【図１９】
0003935640.tif 000020
【図２０】
0003935640.tif 000021
【図２１】
0003935640.tif 000022
【図２２】
0003935640.tif 000023
【図２３】
0003935640.tif 000024
【図２４】
0003935640.tif 000025
【図２５】
0003935640.tif 000026
【図２６】
0003935640.tif 000027